(57)【要約】      （修正有）【課題】踏段の広告表示体部分を複数の表示面を有する多面柱体形状に形成し、その両端部中央を軸支して広告表示体を回転させることにより、表示面を切り替えことができるようにしたエスカレータの踏段を得る。【解決手段】エスカレータの踏段の垂直面４に広告表示体６を備えたものにおいて、広告表字体６は、複数の表示面を有する多面柱体形状からなり、その両端部中央には、踏段の両側部の軸受部に回転可能に取り付けられる軸９を有する。また、広告表示体の踏段の垂直面に対向する面には、表示体表面を開閉自在に覆う透明の表面カバー８を備える。【選択図】図５
2007161450.tif 000002
【特許請求の範囲】
【請求項１】
エスカレータの踏段の垂直面に広告表示体を備えたエスカレータの踏段において、
前記広告表字体は、複数の表示面を有する多面柱体形状からなり、その両端部中央には、前記踏段の両側部の軸受部に回転可能に取り付けられる軸を有することを特徴とするエスカレータの踏段。
【請求項２】
多面柱体形状からなる広告表示体の回転位置を固定するロック装置は、踏段の両側部に設けられたリンク、軸、ピン、ロック棒と、広告表示体側に設けられたロック棒が嵌め込まれる嵌め込み穴とからなり、それぞれが連結棒で連結され、鍵で両側のロック装置を同時に外すことができることを特徴とする請求項１記載のエスカレータの踏段。
【請求項３】
エスカレータの踏段の垂直面に広告表示体を備えたエスカレータの踏段において、
前記広告表字体は、複数の表示面を有する多面柱体形状からなり、その両端部中央には、前記踏段の両側部の軸受部に回転可能に取り付けられる軸を有し、前記広告表示体の前記踏段の垂直面に対向する面には、表示体表面を開閉自在に覆う透明の表面カバーを備えたことを特徴とするエスカレータの踏段。
【請求項４】
表面カバーの開閉ロック装置は、連結枠と、くわえ溝と、ピンとを備え、鍵で両側を同時にロックできることを特徴とする請求項３記載のエスカレータの踏段。
【請求項５】
ロック装置は、鍵を入れることでスイッチを動作してエスカレータの運転を自動的に停止することを特徴とする請求項２又は請求項４記載のエスカレータの踏段。
【請求項６】
エスカレータの踏段の垂直面に広告表示体を備えたエスカレータの踏段において、
前記広告表字体は、複数の表示面を有する多面柱体形状からなり、その両端部中央には、前記踏段の両側部の軸受部に回転可能に取り付けられる軸を有し、前記広告表示体の前記踏段の垂直面に対向する面には、表示体表面を開閉自在に覆う透明の表面カバーを備え、前記広告表示体を背面から照明する照明体とそれを反射する反射板とを備え、前記反射板に軸とおもりを備えることにより、前記反射板が一定方向へ向けられるように構成したことを特徴とするエスカレータの踏段。
【請求項７】
多面柱体形状からなる広告表示体の回転位置を固定するロック装置は、携帯型遠隔操作盤を備え、前記多面柱体の広告表示体の回転は、位置確認カムと表示面確認カムとスイッチとモータ駆動装置を備え、遠隔操作により多面柱体の表示面を回転切り替えができるように構成したことを特徴とする請求項１〜請求項６のいずれかに記載のエスカレータの踏段。
【請求項８】
多面柱体形状からなる広告表示体は、三面柱体形状であることを特徴とする請求項１〜請求項７のいずれかに記載のエスカレータの踏段。
【発明の詳細な説明】
【技術分野】
【０００１】
この発明は、エスカレータの踏段、特に広告表示機能付きの踏段に関するものである。
【背景技術】
【０００２】
従来の広告表示機能付きのエスカレータの踏段として、移動ステップの鉛直側壁（ライザ）部分に広告表示体を備えたものがある（例えば、特許文献１、２参照）。
【０００３】
【特許文献１】特開２００１−２６１２７６号公報
【特許文献２】登録実用新案第３００７４０７号公報
【発明の開示】
【発明が解決しようとする課題】
【０００４】
従来の広告表示機能付きのエスカレータの踏段では、それぞれの踏段には一つの広告表示しか入れることができないため、他の広告に替える必要がある場合は、カバーを外して広告表示を一つ一つ入れ替えなければならないという問題があった。
【０００５】
この発明は上記のような課題を解決するためになされたもので、踏段の広告表示体部分を複数の表示面を有する多面柱体形状に形成し、その両端部中央を軸支して広告表示体を回転させることにより、表示面を切り替えることができるように構成したエスカレータの踏段を提供することを目的とする。
【課題を解決するための手段】
【０００６】
この発明に係るエスカレータの踏段においては、エスカレータの踏段の垂直面に広告表示体を備えたものにおいて、広告表字体は、複数の表示面を有する多面柱体形状からなり、その両端部中央には、踏段の両側部の軸受部に回転可能に取り付けられる軸を有するものである。また、広告表示体の踏段の垂直面に対向する面には、表示体表面を開閉自在に覆う透明の表面カバーを備えるものである。
【発明の効果】
【０００７】
この発明によれば、踏段の広告表示体部分を複数の表示面を有する多面柱体形状に形成し、その両端部中央を軸支して広告表示体を回転させることにより、表示面を切り替えることができる。
【発明を実施するための最良の形態】
【０００８】
実施の形態１.
図１はこの発明の実施の形態１におけるエスカレータの踏段を備えたエスカレータを下階乗降部より見た部分斜視図、図２はこの発明の実施の形態１におけるエスカレータの踏段を示す断面図、図３はこの発明の実施の形態１におけるエスカレータの踏段を示す広告表示体部分を取り除いた斜視図、図４は広告表示体のある面の表面カバーを開いた状態を示す要部断面図、図５は広告表示体を回転して他の表示面に切り替え中の状態を示す要部断面図、図６は多面柱体からなる広告表示体の回転ロック装置を示す要部断面図、図７は多面柱体からなる広告表示体の回転ロック装置を外した状態を示す要部断面図、図８は広告表示体の表面カバーのロック装置を示す図である。
【０００９】
図において、１はエスカレータ、２は欄干基部、３は移動手摺、４は踏段の垂直面（ライザ）、５は踏段の上面（ステップ面）、６は複数の表示面を有する多面柱体形状（ここでは三面柱体形状）からなる広告表示体、７は複数の表示面となる透明の表示体フレーム、７ａは表示体フレーム７の端部に設けられた軸ピン、８は表示体フレーム７表面を覆う透明の表面カバーで、下端部が軸ピン７ａにより回動可能に軸支されている。８ａは透明の表面カバー８の上端部に水平方向に設けられた連結枠、８ｂは連結枠８ａの両側端部上面に設けられた止め穴板、８ｃはこの止め穴板８ｂと対向するように広告表示体６側に備えられたロックピン、８ｄはこのロックピン８ｃが係脱するように止め穴板８ｂに設けられたくわえ溝、８ｅは連結枠８ａの中央部前面に設けられたピン、８ｆはこのピン８ｅに連結して設けられた鍵穴付き軸、８ｇは連結枠８ａの両側端部前面に設けられた長穴、８ｈは透明の表面カバー８の上端両側部に設けられたガイド押さえ兼押さえピンで、長穴８ｇと係合している。９は多面柱体形状からなる広告表示体６の両端部に設けられた軸で、広告表示体６を回動可能に支持する。１０は広告表示体６内に設けられた直管状の照明ランプ、１０ａは照明ランプ１０の背面側に設けられた反射板、１０ｂはこの反射板１０ａの下端部に設けられたおもり支持腕、１０ｃはこのおもり支持腕１０ｂの先端部に設けられたおもり、１１は踏段両側部に設けられたボス部で、軸９を回動可能に支持する。１２は踏段ローラ、１３はロック平棒、１３ａはこのロック平棒１３と対向するように広告表示体６側に備えられた嵌め込み穴で、ロック平棒１３を嵌め込み穴１３ａから外すことにより、広告表示体６を回転させて表示面を切り替えることができる。１４は軸、１５はリンク、１６は鍵付き軸ピン、１６ａは広告表示体６の回転を防止するロック装置専用の鍵、１７は軸ピン、１８は連結棒、１９は隔て装置、２０は取付金具、２０ａは戻しばね、２１はカム、２２は凸部、２２ａは矩形の通し穴、２３は透明の表面カバー８の開閉専用の鍵である。
【００１０】
そして、エスカレータの踏段に多面柱体形状からなる広告表示体６を回動可能に軸支している。広告表示体６は多面柱の各面（三面）に異なる広告表示あるいは注意書を入れることができる面を備え、その面は踏段垂直面（ライザ）４に面一となる。踏段には、多面柱体の回転防止のためのロック装置（ロック平棒１３、嵌め込み穴１３ａ、軸１４、リンク１５、鍵付き軸ピン１６、軸ピン１７、連結棒１８、隔て装置１９、取付金具２０、戻しばね２０ａ、カム２１、凸部２２、矩形の通し穴２２ａ等）を備えており、このロック装置の解除は専用の鍵１６ａによりロック装置のリンク１５を回転させて、ロック平棒１３を広告表示体６の多面柱体の嵌め込み穴１３ａから外すことにより広告表示体６を回転させることができ、表示面を切り替えることができる。また、表示体フレーム表面の透明の表面カバー８の開閉も専用の鍵２３により両側のロック装置（連結枠８ａ、止め穴板８ｂ、ロックピン８ｃ、くわえ溝８ｄ、ピン８ｅ、鍵穴付き軸８ｆ、長穴８ｇ、ガイド押さえ兼押さえピン８ｈ等）を同時に開放させることができ、これにより広告表示や注意書の入れ替えができる。
また、広告表示体６の中心には直管状の照明ランプ１０を備えることができ、反射板１０ａは両端を軸支し、反射板１０ａの下端部におもり１０ｃを吊り下げることで常に往路側の踏段の垂直面（ライザ）の表示を照らすことができる。
【００１１】
この実施の形態１によれば、ロック装置の鍵は片方のリンクに備えられているが、踏段の両側のロック装置は連結棒１８で連動し、同時に両側のロックが掛かるので、踏段や表示体の変形で外れる恐れはない。また、多面柱体の広告表示体６の回転位置が正規の位置からずれているときには、隔て装置１９のカム２１が多面柱体の頂点に乗らないため、隔て装置１９が下がるので、矩形の通し穴２２ａの上に連結棒１８の凸部２２が引っ掛り、連結棒１８が引けず、ロック装置が作動できないようにしている。このため広告表示体６のロック忘れの心配がない。また、表示体の透明の表面カバー８も図８に示すように、連結枠８ａとくわえ溝８ｄとピンと鍵を組み合わせて、両側のロック装置が同時に掛かるので、薄板からなる透明の表面カバー８が変形しても同時に両側のロックが外れることはない。また、多面柱体の広告表示体の回転ロックと透明の表面カバーのロックは、専用の鍵で開閉するので、一般の乗客によりいたずらなどで開閉することはない。また、図示を省略しているが、いずれかの鍵を挿入すると、スイッチが動作して自動的にエスカレータの運転を停止する制御がなされ、監視盤に広告切り替え作業中であるとの表示が出るように構成し、広告切り替え作業中の問題点を解決することができる。
【００１２】
実施の形態２.
図９はこの発明の実施の形態２におけるエスカレータの踏段を示す要部断面図、図１０はこの発明の実施の形態２におけるエスカレータの踏段を示す図６相当図、図１１は目視確認をしながら手元の遠隔操作盤で広告表示体を回転駆動させ表示面を切り替え中の状態を示すエスカレータの斜視図である。なお、図中、実施の形態１と同一符号は同一又は相当部分を示す。
【００１３】
図において、２４はウオームホイルギヤー、２５はウオームギヤー、２６は減速機付きモータ、２７は位置決めカム、２７ａはカム２７の位置決め凹部、２８は３段階の表示面確認カム、２９は位置確認スイッチ、３０は位置決めスイッチ、３０ａは軸受、３１はモータ、３１ａは取付ピン、３１ｂはねじ付きモータ軸、３２は連結棒にピン支持したナット、３３は携帯型遠隔操作盤、３４は携帯型遠隔操作盤３３を持ってエスカレータ踏段を目視確認している作業員である。
この実施の形態２においては、実施の形態１の多面柱体からなる広告表示体６の回転固定ロックを遠隔操作で外し、多面体柱をモータ駆動装置で回転させ、広告表示面を切り替えできるようにしたものである。
しかし、エスカレータの移動踏段は、相互の踏段と複雑な動きをするため、作業員３４がエスカレータの前に立って目視確認ができて相互の踏段と重ならない位置、つまりエスカレータの往路側の傾斜面に位置する踏段、例えば全踏段の１／３毎に区切ってそれぞれの踏段位置に移動させて切り替えできるように切り替え作業の制御をパターン化するのが望ましい。
また目視確認して切り替えすることで、確実に切り替えとロック装置が動作しているかを見届け、不確実な回転位置による不具合が起こらないように配慮することができる。
また、広告表示面を切り替えることで、建物の時間帯により広告表示を替えられるので、エスカレータの付加価値を高めることができる。
なお、三面柱体に限らず、他の多面体でも同様の効果が期待できることはもちろんである。
【図面の簡単な説明】
【００１４】
【図１】この発明の実施の形態１におけるエスカレータの踏段を備えたエスカレータを下階乗降部より見た部分斜視図である。
【図２】この発明の実施の形態１におけるエスカレータの踏段を示す断面図である。
【図３】この発明の実施の形態１におけるエスカレータの踏段を示す広告表示体部分を取り除いた斜視図である。
【図４】広告表示体のある面の表面カバーを開いた状態を示す要部断面図である。
【図５】広告表示体を回転して他の表示面に切り替え中の状態を示す要部断面図である。
【図６】多面柱体からなる広告表示体の回転ロック装置を示す要部断面図である。
【図７】多面柱体からなる広告表示体の回転ロック装置を外した状態を示す要部断面図である。
【図８】広告表示体の表面カバーのロック装置を示す図である。
【図９】この発明の実施の形態２におけるエスカレータの踏段を示す要部断面図である。
【図１０】この発明の実施の形態２におけるエスカレータの踏段を示す図６相当図である。
【図１１】目視確認をしながら手元の遠隔操作盤で広告表示体を回転駆動させ表示面を切り替え中の状態を示すエスカレータの斜視図である。
【符号の説明】
【００１５】
１  エスカレータ
２  欄干基部
３  移動手摺
４  踏段の垂直面（ライザ）
５  踏段の上面（ステップ面）
６  広告表示体
７  表示体フレーム
７ａ  軸ピン
８  表示体表面の透明カバー
８ａ  連結枠
８ｂ  止め穴板
８ｃ  ロックピン
８ｄ  くわえ溝
８ｅ  ピン
８ｆ  鍵穴付き軸
８ｇ  長穴
８ｈ  ガイド押さえ兼押さえピン
９  軸
１０  照明ランプ
１０ａ  反射板
１０ｂ  おもり支持腕
１０ｃ  おもり
１１  ボス部
１２  踏段ローラ
１３  ロック平棒
１３ａ  嵌め込み穴
１４  軸
１５  リンク
１６  鍵付き軸ピン
１６ａ  鍵
１７  軸ピン
１８  連結棒
１９  隔て装置
２０  取付金具
２０ａ  戻しばね
２１  カム
２２  凸部
２２ａ  矩形の通し穴
２３  鍵
２４  ウオームホイルギヤー
２５  ウオームギヤー
２６  減速機付きモータ
２７  位置決めカム
２７ａ  位置決め凹部
２８  表示面確認カム
２９  位置確認スイッチ
３０  位置決めスイッチ
３０ａ  軸受
３１モータ
３１ａ  取付ピン
３１ｂ  ねじ付きモータ軸
３２  ナット
３３  携帯型遠隔操作盤
３４  作業員
【図１】
2007161450.tif 000003
【図２】
2007161450.tif 000004
【図３】
2007161450.tif 000005
【図４】
2007161450.tif 000006
【図５】
2007161450.tif 000007
【図６】
2007161450.tif 000008
【図７】
2007161450.tif 000009
【図８】
2007161450.tif 000010
【図９】
2007161450.tif 000011
【図１０】
2007161450.tif 000012
【図１１】
2007161450.tif 000013